(57)【要約】【課題】ワークトップのバックガード部分を改造することなく照明装置を設けること。【解決手段】キッチンキャビネット３のワークトップ３ｂの上方に衝立１０を設け、衝立１０に照明具１１を備えてワークトップ３ｂを照明するようにした。衝立１０は、キッチンキャビネット３のワークトップ３ｂから起立する支持具１２と、支持具１２に支持した仕切板１３とを備えて支持具１２に照明具１１を取付けたこと。支持具１２に中空部２３，２４が形成され、中空部に照明具の配線２６を挿通したこと。【効果】ワークトップ３ｂの上方に衝立１０を設けるだけで、バックガード部分の構造を複雑にすることなく照明装置１１を設けることができる。骨組みとなる支持具１２と面状に広がる仕切板１３とを別部材で構成できるので、意匠的に優れた衝立を得ることができる。【選択図】図１
2005063800.tif 000002
【特許請求の範囲】
【請求項１】
キッチンキャビネットのワークトップの上方に衝立を設け、該衝立に照明具を備えて該ワークトップを照明するようにしたことを特徴とするキッチン照明装置。
【請求項２】
前記衝立が、キッチンキャビネットのワークトップ又はワークトップに面して起立する壁面から起立する支持具と、該支持具に支持した仕切板とを備え、該支持具に前記照明具を取付けた請求項１記載のキッチン照明装置。
【請求項３】
前記支持具に中空部を形成し、該中空部に前記照明具の配線を挿通した請求項２記載のキッチン照明装置。
【請求項４】
前記仕切板の側縁を前記支持具で外嵌して両者の間に中空部を形成し、該中空部に前記照明具の配線を挿通した請求項２記載のキッチン照明装置。
【請求項５】
前記仕切板を導光板で形成し、該導光板内へ側面から前記照明具の光を投射させて、前記ワークトップに面する該導光板の表面を発光させるようにした請求項１乃至４のいずれかに記載のキッチン照明装置。
【発明の詳細な説明】
【技術分野】
【０００１】
本発明は、流し部，コンロ部又は調理部等を構成するキッチンキャビネットのワークトップを照明するキッチン照明装置の構造に関するものである。
【背景技術】
【０００２】
従来のキッチン照明装置は、レンジフード、吊り収納庫等のアッパーキャビネットに照明具を取り付けて、キッチンキャビネットのワークトップを照明するようにしてある。また、照明具を取り付けるアッパーキャビネットが無い場合には、ワークトップのバツクガードを投光素材で形成し、このバツクガードの裏面に照明具を設けて、ワークトップを照明するようにしてある。
【特許文献１】特開平４−９０７１４号公報
【発明の開示】
【発明が解決しようとする課題】
【０００３】
しかし、前記特許文献１に記載されている技術は、ワークトップのバックガードを投光素材で形成する場合に限定され、バックガードの裏面に照明具を設けるためにバックガード部分が構造的に複雑となる欠点がある。そこで、本発明は、従来技術のこの欠点に鑑み創案したものであって、バックガード部分を改造することなく照明装置を設けることができるキッチン照明装置を提供することを目的とする。
【課題を解決するための手段】
【０００４】
ワークトップのバックガード部分を改造することなく照明装置を設けることができるようにするために請求項１記載の本発明が採用した手段は、キッチンキャビネットのワークトップの上方に衝立を設け、該衝立に照明具を備えて該ワークトップを照明するようにしたことを特徴とするキッチン照明装置である。衝立は、加熱部に設けた油跳ねガード、または、流し部に設けた水跳ねガードがある。
本発明にあっては、ワークトップの上方に衝立を設けるだけで、ワークトップを照明することができる。
【０００５】
意匠的に優れた衝立をえることができるよにするために請求項２記載の本発明が採用した手段は、前記衝立が、キッチンキャビネットのワークトップ又はワークトップに面して起立する壁面から起立する支持具と、該支持具に支持した仕切板とを備え、該支持具に前記照明具を取付けた請求項１記載のキッチン照明装置である。なお、該仕切板は、支持具に固定するか、または、支持具に着脱可能にする。
本発明にあっては、骨組みとなる支持具と面状に広がる仕切板とを別部材で構成できる。
【０００６】
照明具の配線を目に触れさせないようにするために請求項３記載の本発明が採用した手段は、前記支持具に中空部を形成し、該中空部に前記照明具の配線を挿通した請求項２記載のキッチン照明装置である。なお、前記ワークトップ又は前記ワークトップに面して起立する壁面に対して、配線を露出させることなく前記支持具を取り付けできるようにするためには、前記支持具の取付面と、該取付面と対面する前記ワークトップ又は前記ワークトップに面して起立する壁面に、前記中空部と連通する挿通孔を設けて、該挿通孔へ前記照明具の配線を挿通させる。
本発明にあっては、支持具の中空部を照明具の配線が挿通するので、配線の露出がない。
【０００７】
照明具の配線を目に触れさせないようにするために請求項４記載の本発明が採用した手段は、前記仕切板の側縁を前記支持具で外嵌して両者の間に中空部を形成し、該中空部に前記照明具の配線を挿通した請求項２記載のキッチン照明装置である。なお、前記ワークトップ又は前記ワークトップに面して起立する壁面に対して、配線を露出させることなく前記支持具を取り付けできるようにするためには、前記支持具の取付面と、該取付面と対面する前記ワークトップ又は前記ワークトップに面して起立する壁面に、前記中空部と連通する挿通孔を設けて、該挿通孔へ前記照明具の配線を挿通させる。
本発明にあっては、仕切板と支持具の間の中空部を照明具の配線が挿通するので、配線の露出がない。
【０００８】
仕切板を光らせるようにするために請求項５記載の本発明が採用した手段は、前記仕切板を導光板で形成し、該導光板内へ側面から前記照明具の光を投射させて、前記ワークトップに面する該導光板の表面を発光させるようにした請求項１乃至４のいずれかに記載のキッチン照明装置である。なお、イルミネーションの機能をもたせるために、照明具を発光色の異なる複数色のＬＥＤ（発光ダイオード）で構成し、発光させるＬＥＤの組合せを変化させる制御回路を備えることもある。
本発明にあっては、照明具から導光板内へ投射した光で導光板の表面を発光させ、ワークトップを照明できる。
【発明の効果】
【０００９】
請求項１記載の本発明は、ワークトップの上方に衝立を設けるだけで、バックガード部分の構造を複雑にすることなく照明装置を設けることができる。
請求項２記載の本発明は、骨組みとなる支持具と面状に広がる仕切板とを別部材で構成できるので、意匠的に優れた衝立を得ることができる。
請求項３及び４記載の本発明は、照明具の配線の露出を無くすることができるので、安全で且つ見栄えを良くすることができる。
請求項５記載の本発明は、仕切板を面状に光らせて発光領域を大きくすることができる。
【発明を実施するための最良の形態】
【００１０】
本発明に係るキッチン照明装置（以下、「本発明キッチン照明装置」と言う。）を図面に示す実施形態に基づいて説明する。
【００１１】
（第１の実施の形態）
図１乃至図３は本発明キッチン照明装置の第１の実施の形態を示すものであり、図１は本発明キッチン照明装置１を備えたキッチン設備をメイン作業域Ｄの上方から見た斜視図、図２は本発明キッチン照明装置１を示すものであって、（Ａ）は照明具１１を備えた衝立１０の支持具１２と仕切板１３とを分離した状態の斜視図、（Ｂ）は支持具１２に仕切板１３を吊り下げた状態を示す斜視図、（Ｃ）は支持具１２に仕切板１３を吊り下げた状態を示す断面図、図３はキッチンキャビネット３に対して支持具１２を取付ける構造を拡大して示すものであって、同図（Ａ）はキッチンキャビネット３に対して支持具１２を取付ける前の状態の断面図、同図（Ｂ）は取付けた状態の断面図である。
【００１２】
本実施の形態に係るキッチン設備は、図１に示す如く、床面Ｆ上の右側（建物壁Ｗの際）に配置した前後方向に延びるサブのキッチンキャビネット２と、サブのキッチンキャビネット２から左側（建物壁Ｗから離れる方向）へ延びるメインのキッチンキャビネット３と、キッチンキャビネット３に設けた本発明キッチン照明装置１と、建物壁Ｗに取付けて吊り下げた吊り戸棚４，５及び排気装置６とを備えている。
【００１３】
前記本発明キッチン照明装置１は、キッチンキャビネット３の上方に設けた衝立１０に照明具１１を備え、該ワークトップ３ｂを照明するようにしてある。衝立１０は、メイン作業域Ｄから見て加熱具３ｄの後側に設置され、加熱具３ｄで加熱調理したときに生じる油はね，水はね等のはねを、ワークトップ３ｂのサブ領域３ｂ−２やサブ使用域Ｅ側へ飛散するのを阻止している。衝立１０は、図２（Ｂ），（Ｃ）に示す如く、仕切板１３の下端側でワークトップ３ｂの段部３ｂ−３を覆い、排気口８から立ち上がる排気の加熱から段部３ｂ−３を保護して、段部３ｂ−３の熱変形を防止する断熱板としての機能を併せて有する。
【００１４】
前記衝立１０は、図２に示す如く、キッチンキャビネット３のワークトップ３ｂに取付けられて起立する支持具１２と、支持具１２に着脱自在に係止する仕切板１３とを備えている。支持具１２は、両側の縦支持棒１４，１５と、縦支持棒１４，１５に横架した上下の横支持棒１６，１７とを備えている。仕切板１３は、平面状域１３ａの上端側を折り曲げてフック１３ｂを形成して断面Ｊ字状になっており、上方の横支持棒１４にフック１３ｂを係止して吊り下げるようになっている。吊り下げた仕切板１３は、下方の横支持棒１７に当接して振れを阻止して静止した状態となる。衝立１０は、耐熱性と防錆性等から素材としてステンレススチール等が用いられる。
【００１５】
前記キッチンキャビネット３に対する支持具１２の取付け構造は、図３に示す如く、キッチンキャビネット３の上面に設けた両側のボルト２０，２０と、縦支持棒１４，１５の各下端に設けた鍔部１８と、縦支持棒１４，１５の各々に外嵌した内折れ係止片１９ａ付きナット１９とを備え、各ボルト２０に対応するナット１９を着脱自在に螺着して、ナット１９の係止片１９ａとボルト２０の上面とで鍔部１８及び縦支持棒１４，１５の下端面を挟持して固定するようにしている。鍔部１８は、縦支持棒１４，１５の凹溝に嵌着したリング等から形成され、縦支持棒１４，１５の外周面から突出するようになっている。キッチンキャビネット３に対するボルト２０の取付けは、ボルト２０の底面から延びる小径のボルト２１をキッチンキャビネット３のワークトップ３ｂへ挿通して、ボルト２１にナット２２を緊締して行っている。縦支持棒１４，１５及びボルト２０，２１の各々は、貫通する配線用の中空部２３，２４が形成されている。
【００１６】
前記照明具１１は、図２に示す如く、蛍光灯、電球又は発光ダイオード（ＬＥＤ）等からなる発光体１１ａと、発光体１１ａを保持する保持具１１ｂとを備え、衝立１０の支持具１２に取り付けてある。保持具１１ｂは、支持具１２の縦支持棒１４，１５に接合してある。保持具１１ｂは、反射板１１ｂ（図２（Ｃ）参照）を備え、ワークトップ３ｂを照明するようにしてある。照明具１１の配線２６は、保持具１１ｂから延設され、前記支持具１２の配線用の中空部２３，２４（図３参照）へ挿入してワークトップ３ｂの底面側へ導き出され、キッチンキャビネット３の内側等に配設した照明用制御器２５に結線してある。
【００１７】
前記衝立１０は、図２に示す如く、汚れた仕切板１３を支持具１２から離脱して単独で水洗い等して、綺麗になった仕切板１３を支持具１２に係止して使用できる。支持具１２に対する仕切板１３の着説は、支持具１２から仕切板１３を持ち上げて離脱できると共に、支持具１２の横支持棒１６に仕切板１３のフック１３ｂを引っ掛けることで吊り下げることができる。本実施の形態に係る仕切板１３は、平面状域１３ａから連続的に折り曲げ形成したフック１３ｂを形成した単純な形状であるため、取り扱いが簡単であると共に清掃も簡単にできる。
【００１８】
本実施の形態に係るメインのキッチンキャビネット３は、図１に示す如く、キャビネット本体３ａと、キャビネット本体３ａ上に取付けたワークトップ（天板）３ｂとを備え、ワークトップ３ｂに、ガスコンロ又は電磁調理器等からなる加熱具３ｄ及びシンク３ｃが取付けられていると共に、キャビネット本体３ａに、加熱具３ｄ及び食器洗い乾燥機３ｅが内蔵されている。該ワークトップ３ｂは、左右方向に沿って延びており、前側が加熱具３ｄ及びシンク３ｃを配置したメイン領域３ｂ−１であり、後側が調理や食事等に使用するサブ領域３ｂ−２であり、両領域３ｂ−１，３ｂ−２の境界に段部３ｂ−３を設けて、メイン領域３ｂ−１に比べてサブ領域３ｂ−２を高くしてある。メインのキッチンキャビネット３は、手前外側がシンク３ｃ及び加熱具３ｄを使用するためのメイン作業域Ｄになっていると共に、後方外側がワークトップ３ｂのサブ領域３ｂ−２を調理や食事等に使用するためのサブ使用領域Ｅになっており、メイン作業域Ｄとサブ使用領域Ｅとで対面できるようになっている。前記メインのキッチンキャビネット３は、メイン作業域Ｄ及びサブ使用領域Ｅの各左側が、ダイニング又はリビング等の人集合領域に面しており、人集合領域に居る子供等を見ながら調理することができるようになっている。
【００１９】
前記サブのキッチンキャビネット２は、キャビネット本体２ａと、キャビネット本体２ａ上に取付けたワークトップ２ｂとを備え、キャビネット本体２ａに引出し２ｃや開閉扉２ｄを備えている。
【００２０】
本実施の形態に係るキッチン設備は、図１に示す如く、サブのキッチンキャビネット２及びメインのキッチンキャビネット３が平面Ｔ字状に配置され、サブのキッチンキャビネット２の奥行き寸法分だけ、加熱具３ｄが建物壁Ｗから離れるため、加熱具３ｄの上にフード７を配置してある。なお、キッチンキャビネット３は、サブのキッチンキャビネット２に接合することなく単独で設置されることもある。
【００２１】
本実施の形態に係る本発明キッチン照明装置１は、ワークトップ３ｂの上方に衝立１０を設けるだけで、ワークトップ３ｂを照明することができる。また、本発明キッチン照明装置１は、衝立１０を骨組みとなる支持具１２と面状に広がる仕切板１３とを別部材で構成できるので、構造的にも簡単で、且つ意匠的に優れたものが得られる。更に、本発明キッチン照明装置１は、衝立１０の中空部２３，２４を照明具１１の配線２６が挿通するので、配線２６の露出がなく見栄えが良い。
【００２２】
（第２の実施の形態）
図４及び図５は本発明キッチン照明装置の第２の実施の形態を示すものであり、図４は本発明キッチン照明装置を示すものであって、（Ａ）は支持具に仕切板を吊り下げた状態を示す斜視図、（Ｂ）は支持具に仕切板を吊り下げた状態を示す断面図、図５は支持具と仕切板とを分離した状態の斜視図である。
【００２３】
本実施の形態に係るキッチン設備は、メインのキッチンキャビネット３３とサブのキッチンカウンター３２とを並設してある。メインのキッチンカウンター３３は、キャビネット本体の上にワークトップ（天板）３３ｂを取付け、ワークトップ３３ｂにガスコンロ又は電磁調理器等からなる加熱器３３ｄを取付けている。サブのキッチンカウンター３２は、前側にメインのキッチンキャビネット３３に面する壁面３２ｃが形成され、後側がリビング側に面する対面式カウンターとなっている。メインのキッチンカウンター３３とサブのキッチンカウンター３２との間には、本発明キッチン照明装置３１が設けられている。      
【００２４】
なお、サブのキッチンカウンター３２は、図示は省略したが、出窓で形成して後側上方に窓を設けるものとすることもある。更に、メインのキッチンキャビネット３３とサブのキッチンカウンター３２とを一体に形成することもある。前記壁面３２ｃは、キッチンカウンター３２の起立壁面で形成することなく、図示は省略したが、建物躯体の壁面で形成することも可能である。
【００２５】
前記本発明キッチン照明装置３１は、キッチンキャビネット３３の上方に設けた衝立４０に照明具１１を備え、該ワークトップ３３ｂを照明するようにしてある。本実施の形態に係る衝立４０は、加熱器３３ｄの上方の空間Ｓに面して起立する壁面３２ｃへ取付けた支持具４２と、支持具４２へ着脱自在に取付ける不燃性の仕切板４３とを備えている。支持具４２は、壁面３２ｃと加熱器３３ｄの上方の空間Ｓとの間で壁面３２ｃに沿って延びる受け部４６を備え、仕切板４３は、フック４３ｂを備えている。衝立４０は、支持具４２の受け部４６に、仕切板４３のフック４３ｂを着脱自在に係止して吊り下げるようになっており、汚れた仕切板４３を受け部４４から離脱して単独で水洗い等して、綺麗になった仕切板４３を受け部４４に係止して吊り下げるようにしてある。
【００２６】
本実施の形態に係る衝立４０は、加熱器３３ｄで加熱されるフライパン（図示略）等から生じる油はね等がサブのキッチンカウンター３２の上面３２ｂに飛着するのを防止するために、支持具４２の受け部４６をキッチンカウンター３２の上面３２ｂより上方へ突出させ、仕切板４３の上端側がキッチンカウンター３２の上面３２ｂより上方へ突出するようにしてある。
【００２７】
前記支持具４２は、前記壁面３２ｃに取付部４４ａ，４５ａをビス３４で取付けて手前上方へ延設した支持棒４４，４５と、両支持棒４４，４５の中間に両端を連結した棒状の受け部４６とからなり、壁面３２ｃに両側の支持棒４４，４５を取付けた片持ち状となる。両側の支持棒４４，４５の各々には、貫通する配線用の中空部４８（図４（Ｂ）参照）が形成されている。支持具４２は、吊り下げた仕切板４３の前後方向への揺動を阻止するストッパー４７を備え、吊り下げた仕切板４３にストッパー４７が当接するようにしてある。ストッパー４７は、受け部４６から垂直に垂下するように設けられ、吊り下げた仕切板４３の平面状域４３ａの後側面に当接するようになっている。
【００２８】
前記仕切板４３は、図３に示す如く、平面状域４３ａの上端側を折り曲げてフック４３ｂを形成してある。なお、仕切板４３は、図示は省略したが、平面状域４３ａを陶磁器板で形成し、平面状域４３ａの後側にフック４３ｂを取着して構成することも可能である。      
【００２９】
前記照明具１１は、前記第１の実施の形態と同様に、蛍光灯、電球又は発光ダイオード（ＬＥＤ）等からなる発光体１１ａと、発光体１１ａを保持する保持具１１ｂとを備え、衝立４０の支持具４２に取り付けてある。保持具１１ｂは、支持具４２の支持棒４４，４５に接合してある。保持具１１ｂは、反射板１１ｂ（図４（Ｂ）参照）を備え、ワークトップ３３ｂを照明するようにしてある。照明具１１の配線２６は、保持具１１ｂから延設され、前記支持具４２の配線用の中空部４８及び壁面３２ｃに開設した挿通孔へ挿通してサブのキッチンカウンター３２の内側へ導き出され、キッチンカウンター３２の内側等に配設した照明用制御器２５に結線してある。
【００３０】
本実施の形態に係る本発明キッチン照明装置３１は、ワークトップ３３ｂの上方に衝立４０を設けるだけで、ワークトップ３３ｂを照明することができる。また、本発明キッチン照明装置３１は、衝立４０を骨組みとなる支持具４２と面状に広がる仕切板４３とを別部材で構成できるので、構造的にも簡単で、且つ意匠的に優れたものが得られる。更に、本発明キッチン照明装置３１は、衝立４０の中空部４８を照明具１１の配線２６が挿通するので、配線２６の露出がなく見栄えが良い。
【００３１】
（第３の実施の形態）
図６は本発明キッチン照明装置の第３の実施の形態を示すものであり、（Ａ）はキッチンキャビネットのワークトップから衝立を起立させた状態を示す斜視図、（Ｂ）は同状態の断面図である。
【００３２】
前記本発明キッチン照明装置５１は、キッチンキャビネット３の上方に設けた衝立６０に照明具１１を備え、該ワークトップ３ｂを照明するようにしてある。衝立６０は、メイン作業域Ｄから見て加熱具３ｄの後側に設置され、加熱具３ｄで加熱調理したときに生じる油はね，水はね等のはねを、ワークトップ３ｂのサブ領域３ｂ−２やサブ使用域Ｅ側へ飛散するのを阻止している。衝立１０は、その下端側でワークトップ３ｂの段部３ｂ−３を覆い、排気口８から立ち上がる排気の加熱から段部３ｂ−３を保護して、段部３ｂ−３の熱変形を防止する断熱板としての機能を併せて有する。キッチンキャビネット３は、前記第１の実施の形態のキッチンキャビネット３（図１参照）と実質的に同一に構成されている。
【００３３】
本実施の形態に係る衝立６０は、キッチンキャビネット３のワークトップ３ｂに取付けて起立した支持具６２と、支持具６２で支持された仕切板６３とを備え、両者６２，６３を一体化してある。衝立６０は、仕切板６３の側縁６３ａを支持具６２で外嵌して両者の間に中空部６４が形成され、中空部６４に照明具１１の配線２６を挿通してある。支持具６２は、内側に形成した凹溝６２ａで、仕切板６３の側縁６３ａを外嵌してある。凹溝６２ａは、内側の四辺（図示の場合）、左右の二辺、または、左右の二辺と下辺に形成してある。仕切板６３は、耐熱性のボードや陶器板等で形成されている。
【００３４】
前記照明具１１は、前記第１の実施の形態の照明具１１（図２参照）と実質的に同一に構成され、蛍光灯、電球又は発光ダイオード（ＬＥＤ）等からなる発光体１１ａと、発光体１１ａを保持する保持具１１ｂとを備え、衝立６０の支持具６２に取り付けられている。照明具１１の配線２６は、衝立６０の中空部６４へ挿入してワークトップ３ｂの底面側へ導き出され、キッチンキャビネット３の内側等に配設した照明用制御器２５に結線してある。
【００３５】
（第４の実施の形態）
図７は本発明キッチン照明装置の第４の実施の形態を示すものであり、（Ａ）はキッチンキャビネットのワークトップに面して起立する壁面から衝立を起立させた状態を示す斜視図、（Ｂ）は同状態の断面図である。
【００３６】
前記本発明キッチン照明装置７１は、メインのキッチンキャビネット３３の上方に設けた衝立８０に照明具１１を備え、該ワークトップ３３ｂを照明するようにしてある。本実施の形態に係る衝立８０は、加熱器３３ｄで加熱されるフライパン（図示略）等から生じる油はね等がサブのキッチンカウンター３２の上面３２ｂに飛着するのを防止するために、加熱器３３ｂの上方の空間Ｓに面したキッチンカウンター３２の起立壁面３２ｃに取付け、キッチンカウンター３２の上面３２ｂより上方へ突出させてある。なお、メインのキッチンキャビネット３３は、前記第２の実施の形態と同様に、サブのキッチンカウンター３２とを並設してある。
【００３７】
前記衝立８０は、壁面３２ｃへ取付ける支持具８２と、支持具６２で支持された仕切板８３とを備え、両者６２，６３を一体化してある。衝立８０は、仕切板８３の側縁８３ａを支持具８２で外嵌して両者の間に中空部８４が形成され、中空部８４に照明具１１の配線２６を挿通してある。支持具８２は、内側に形成した凹溝８２ａで、仕切板８３の側縁８３ａを外嵌してある。凹溝８２ａは、内側の四辺（図示の場合）、左右の二辺、または、左右の二辺と下辺に形成してある。仕切板８３は、耐熱性のボードや陶器板等で形成されている。
【００３８】
前記照明具１１は、前記第１の実施の形態の照明具１１（図２参照）と実質的に同一に構成され、蛍光灯、電球又は発光ダイオード（ＬＥＤ）等とからなる発光体１１ａと、発光体１１ａを保持する保持具１１ｂとを備え、衝立８０の支持具８２に取り付けられている。照明具１１の配線２６は、衝立８０の中空部８４及び起立壁面３２ｃに開設した挿通孔へ挿通されてサブのキッチンカウンター３２の内側へ導き出され、照明用制御器２５に結線してある。
【００３９】
（第５の実施の形態）
図８は本発明キッチン照明装置の第５の実施の形態を示すものであり、キッチンキャビネットのワークトップから衝立を起立させた状態を示す断面図である。
【００４０】
前記本発明キッチン照明装置９１は、キッチンキャビネット３の上方に設けた衝立１００に照明具１１０を備え、該ワークトップ３ｂを照明するようにしてある。衝立１００は、メイン作業域Ｄから見て加熱具３ｄの後側に設置され、加熱具３ｄで加熱調理したときに生じる油はね，水はね等のはねを、ワークトップ３ｂのサブ領域３ｂ−２やサブ使用域Ｅ側へ飛散するのを阻止している。衝立１００は、その下端側でワークトップ３ｂの段部３ｂ−３を覆い、排気口８から立ち上がる排気の加熱から段部３ｂ−３を保護して、段部３ｂ−３の熱変形を防止する断熱板としての機能を併せて有する。キッチンキャビネット３は、前記第１の実施の形態のキッチンキャビネット３（図１参照）と実質的に同一に構成されている。
【００４１】
前記衝立１００は、キッチンキャビネット３のワークトップ３ｂに取付けて起立した支持具１１２と、支持具１１２で支持された仕切板１１３とを備え、両者１１２，１１３を一体化してある。支持具１１２は、内側の形成した凹溝１１２ａで、仕切板１１３の側縁１１３ａを外嵌してある。凹溝１１２ａは、内側の四辺（図示の場合）、左右の二辺、または、左右の二辺と下辺に形成してある。仕切板１１３は、耐熱性のボードや陶器板等で形成されている。本発明キッチン照明装置９１は、仕切板１１３を導光板で形成し、該導光板内へ側面から照明具１１０の光を投射させて、前記ワークトップ３ｂに面する該導光板の表面を発光させるようにしてある。照明具１１０は、ＬＥＤ（発光ダイオード）、細い蛍光灯または小型のランプで形成されている。照明具１１０は、支持具１１２の凹溝１１２ａに格納され、露出していない。イルミネーションの機能をもたせるためには、照明具を発光色の異なる複数色のＬＥＤで構成し、発光させるＬＥＤの組合せを変化させる制御器２５を備えることもある。
【００４２】
照明具１１０の配線２６は、衝立１００の中空部へ挿入されてワークトップ３ｂの底面側へ導き出され、キッチンキャビネット３の内側等に配設した照明用制御器２５に結線してある。
【００４３】
（第６の実施の形態）
図９は本発明キッチン照明装置の第６の実施の形態を示すものであり、キッチンキャビネットのワークトップに面して起立する壁面から衝立を起立させた状態を示す断面図である。
【００４４】
前記本発明キッチン照明装置１２１は、メインのキッチンキャビネット３３の上方に設けた衝立１２０に照明具１１０を備え、該ワークトップ３３ｂを照明するようにしてある。本実施の形態に係る衝立１２０は、加熱器３３ｄで加熱されるフライパン（図示略）等から生じる油はね等がサブのキッチンカウンター３２の上面３２ｂに飛着するのを防止するために、加熱器３３ｂの上方の空間Ｓに面したキッチンカウンター３２の起立壁面３２ｃに取付け、キッチンカウンター３２の上面３２ｂより上方へ突出させてある。なお、メインのキッチンキャビネット３３は、前記第２の実施の形態と同様に、サブのキッチンカウンター３２とを並設してある。
【００４５】
前記衝立１２０は、壁面３２ｃへ取付ける支持具１３２と、支持具１２２で支持された仕切板１２３とを備え、両者１２２，１２３を一体化してある。支持具１２２は、内側に形成した凹溝１２２ａで、仕切板１２３の側縁１２３ａを外嵌してある。凹溝１２２ａは、内側の四辺（図示の場合）、左右の二辺、または、左右の二辺と下辺に形成してある。仕切板１２３は、耐熱性のボードや陶器板等で形成されている。本発明キッチン照明装置１２１は、仕切板１２３を導光板で形成し、該導光板内へ側面から照明具１１０の光を投射させて、前記ワークトップ３ｂに面する該導光板の表面を発光させるようにしてある。照明具１１０は、前記第６の実施の形態の照明具１１０と実質的に同一に構成され、支持具１２２の凹溝１３２ａに格納され、露出していない。イルミネーションの機能をもたせるためには、照明具を発光色の異なる複数色のＬＥＤで構成し、発光させるＬＥＤの組合せを変化させる制御器２５を備えることもある。
【００４６】
照明具１１０の配線２６は、衝立１２０の中空部及び起立壁面３２ｃに開設した挿通孔へ挿通されてサブのキッチンカウンター３２の内側へ導き出され、照明用制御器２５に結線してある。
【００４７】
（その他の実施の形態）
前記第１〜６の実施の形態を示す本発明キッチン照明装置１，３１，５１，７１，９１，１２１は、流し部の後側、または、加熱部と流し部との間に設けることも可能である。
【図面の簡単な説明】
【００４８】
【図１】本発明キッチン照明装置の第１の実施の形態を示すものであり、本発明キッチン照明装置を備えたキッチン設備をメイン作業域の上方から見た斜視図である。
【図２】第１の実施の形態を示すものであって、（Ａ）は照明具を備えた衝立の支持具と仕切板とを分離した状態の斜視図、（Ｂ）は支持具に仕切板を吊り下げた状態を示す斜視図、（Ｃ）は支持具に仕切板を吊り下げた状態を示す断面図である。
【図３】第１の実施の形態においてキッチンキャビネットに対して支持具を取付ける構造を拡大して示すものであって、同図（Ａ）はキッチンキャビネットに対して支持具を取付ける前の状態の断面図、同図（Ｂ）は取付けた状態の断面図である。
【図４】本発明キッチン照明装置の第２の実施の形態を示すものであり、（Ａ）は支持具に仕切板を吊り下げた状態を示す斜視図、（Ｂ）は支持具に仕切板を吊り下げた状態を示す断面図である。
【図５】第２の実施の形態において、支持具と仕切板とを分離した状態の斜視図である。
【図６】本発明キッチン照明装置の第３の実施の形態を示すものであり、（Ａ）はキッチンキャビネットのワークトップから衝立を起立させた状態を示す一部切欠いた斜視図、（Ｂ）は同状態の断面図である。
【図７】本発明キッチン照明装置の第４の実施の形態を示すものであり、（Ａ）はキッチンキャビネットのワークトップに面して起立する壁面から衝立を起立させた状態を示す一部切欠いた斜視図、（Ｂ）は同状態の断面図である。
【図８】本発明キッチン照明装置の第５の実施の形態を示すものであり、キッチンキャビネットのワークトップから衝立を起立させた状態を示す断面図である。
【図９】本発明キッチン照明装置の第６の実施の形態を示すものであり、キッチンキャビネットのワークトップに面して起立する壁面から衝立を起立させた状態を示す断面図である。
【符号の説明】
【００４９】
１（３１，５１，７１，９１，１２１）…本発明キッチン照明装置、３（３３）…キッチンキャビネット、３ｂ（３３ｂ）…ワークトップ、１０（４０，６０，８０，１２０）…衝立、１２…照明、１２（４２，６２，１０２，１２１）…支持具、１３（４３，６３，１０３，１２３）…仕切板、２３（２４，４８，６４，１０４，１２４）…中空部、２６…配線
【図１】
2005063800.tif 000003
【図２】
2005063800.tif 000004
【図３】
2005063800.tif 000005
【図４】
2005063800.tif 000006
【図５】
2005063800.tif 000007
【図６】
2005063800.tif 000008
【図７】
2005063800.tif 000009
【図８】
2005063800.tif 000010
【図９】
2005063800.tif 000011